(57)【要約】【課題】青色光の危険性の低減と表示品位の向上とを両立して達成する。【解決手段】発光スペクトルは、最高のグレーレベルの白画像で行われ、380ｎｍから478ｎｍまでの範囲の第１サブ発光スペクトルと、479ｎｍから780ｎｍまでの範囲の第２サブ発光スペクトルとを含み、第１サブ発光スペクトルは、453ｎｍ以上の最大ピーク波長を有する。380ｎｍから478nmまでの青色光ハザード重み付け関数を乗算した第１サブ発光スペクトルの積分値を第１積分と定義し、479ｎｍから780ｎｍまでの視覚関数を乗算した第２サブ発光スペクトルの積分値を第２積分として定義する。第２積分に対する第１積分の比が、40％から65％までの範囲内にある。【選択図】図１
2019184990.tif 000002
【特許請求の範囲】
【請求項１】
発光スペクトルを有する表示装置であって、
前記発光スペクトルは、最高のグレーレベルの白画像で行なわれ、
前記発光スペクトルは、380ｎｍから478ｎｍまでの範囲の第１サブ発光スペクトルと、479ｎｍから780ｎｍまでの範囲の第２サブ発光スペクトルとからなり、前記第１サブ発光スペクトルは、453ｎｍ以上の最大ピーク波長を有し、
380ｎｍから478ｎｍまでの青色光ハザード重み付け関数を乗算した前記第１サブ発光スペクトルの積分値を第１積分として定義し、479ｎｍから780ｎｍまでの視覚関数を乗算した前記第２サブ発光スペクトルの積分値を第２積分として定義すると、
前記第２積分に対する前記第１積分の比が、40％から65％までの範囲内であることを特徴とする表示装置。
【請求項２】
前記表示装置は、バックライトユニットおよび表示パネルを備えたことを特徴とする請求項１記載の表示装置。
【請求項３】
前記表示装置は、複数の無機発光素子を備えたことを特徴とする請求項１記載の表示装置。
【請求項４】
前記表示装置は、複数の有機発光素子を備えたことを特徴とする請求項１記載の表示装置。
【請求項５】
前記白画像が白色点を有し、CIE1931xy色度図における前記白色点のｘ値が、0.29から0.34までの範囲内にあり、CIE1931xy色度図における前記白色点のｙ値が、0.305から0.355までの範囲内にあることを特徴とする請求項１記載の表示装置。
【請求項６】
400ｎｍから500ｎｍまでの前記発光スペクトルの積分値に対して、415ｎｍから455ｎｍまでの前記発光スペクトルの積分値の比が、50％未満であることを特徴とする請求項１記載の表示装置。
【請求項７】
前記第１サブ発光スペクトルの最大ピーク波長は、478ｎｍ以下であることを特徴とする請求項１記載の表示装置。
【請求項８】
青色光を発生させる青色発光素子と、前記青色光を黄色光に変換する光変換層とを含み、前記青色光と前記黄色光が白色光に混合されることを特徴とする請求項１記載の表示装置。
【請求項９】
前記第１サブ発光スペクトルは、最大ピーク波長における最大ピークをさらに備え、前記最大ピークの強度に対する480ｎｍから580ｎｍまでの前記発光スペクトルのピークの強度の比は、40％から60％までの範囲内であることを特徴とする請求項８記載の表示装置。
【請求項１０】
前記表示装置は、青色光を発生させる青色発光素子と、前記青色発光素子に配置される光変換層とを備え、
前記光変換層は、それぞれ前記青色光を赤色光に変換するためと、前記青色光を緑色光に変換するための２つの光変換材料を備え、
前記青色光、前記赤色光、および前記緑色光が、白色光に混合されることを特徴とする請求項１記載の表示装置。
【請求項１１】
第１サブ発光スペクトルは、最大ピーク波長における最大ピークをさらに備え、前記最大ピークの強度に対する480ｎｍから580ｎｍまでの前記発光スペクトルのピークの強度の比は、45％から70％までの範囲内であることを特徴とする請求項１０記載の表示装置。
【請求項１２】
前記表示装置は、透過スペクトルを有する青色カラーフィルタを備え、前記透過スペクトルは、453ｎｍ以上の別な最大ピーク波長を有することを特徴とする請求項１記載の表示装置。
【請求項１３】
前記表示装置は、別な発光スペクトルを有する青色発光素子を備え、前記別な発光スペクトルは、453ｎｍ以上478ｎｍ以下の別な最大ピーク波長を有することを特徴とする請求項１記載の表示装置。
【請求項１４】
バックライトユニットを提供するステップと、
前記バックライトユニットに対応して配置された表示パネルを提供するステップと、を備えた表示装置の製造方法であって、
前記表示装置により、最高のグレーレベルの白画像で発光スペクトルが実行され、
前記発光スペクトルは、380ｎｍから478ｎｍまでの範囲の第１サブ発光スペクトルと、479ｎｍから780ｎｍまでの範囲の第２サブ発光スペクトルとからなり、前記第１サブ発光スペクトルは、453ｎｍ以上の最大ピーク波長を有し、
380ｎｍから478ｎｍまでの青色光ハザード重み付け関数を乗算した前記第１サブ発光スペクトルの積分値を第１積分として定義し、479ｎｍから780ｎｍまでの視覚関数を乗算した前記第２サブ発光スペクトルの積分値を第２積分として定義すると、
前記第２積分に対する前記第１積分の比が、40％から65％までの範囲内であることを特徴とすることを特徴とする表示装置の製造方法。
【請求項１５】
前記バックライトユニットは、青色光を発生させる少なくとも一つの青色発光素子と、前記青色発光素子を覆う光変換層とを備え、
前記光変換層から入力光が放射されると、前記カラーフィルタ層は、前記入力光を前記発光スペクトルを有する出力光に変換することを特徴とする請求項１４記載の表示装置の製造方法。
【請求項１６】
前記光変換層は、前記青色光を黄色光に変換する光変換材料を備えたことを特徴とする請求項１４記載の表示装置の製造方法。
【請求項１７】
前記光変換層は、それぞれ前記青色光を赤色光に変換するためと、前記青色光を緑色光に変換するための２つの光変換材料を備えたことを特徴とする請求項１４記載の表示装置の製造方法。
【請求項１８】
前記カラーフィルタ層は、透過スペクトルを有する青色カラーフィルタを備え、前記透過スペクトルは、453ｎｍよりも大きい別な最大ピーク波長を有することを特徴とする請求項１４記載の表示装置の製造方法。
【請求項１９】
ベースを提供するステップと、
前記ベース上に複数の発光素子を形成するステップと、を備えた表示装置の製造方法であって、
前記表示装置により、最高のグレーレベルの白画像で発光スペクトルが実行され、
前記発光スペクトルは、380ｎｍから478ｎｍまでの範囲の第１サブ発光スペクトルと、479ｎｍから780ｎｍまでの範囲の第２サブ発光スペクトルとからなり、前記第１サブ発光スペクトルは、453ｎｍ以上の最大ピーク波長を有し、
380ｎｍから478ｎｍまでの青色光ハザード重み付け関数を乗算した前記第１サブ発光スペクトルの積分値を第１積分として定義し、479ｎｍから780ｎｍまでの視覚関数を乗算した前記第２サブ発光スペクトルの積分値を第２積分として定義すると、
前記第２積分に対する前記第１積分の比が、40％から65％までの範囲内であることを特徴とすることを特徴とする表示装置の製造方法。
【請求項２０】
前記発光素子は、青色光を発生させる青色発光素子と、赤色光を発生させる赤色発光素子と、緑色光を発生させる緑色発光素子とを備え、前記青色光、前記赤色光、および緑色光は、前記発光スペクトルを有する出力光に混合されることを特徴とする請求項１９記載の表示装置の製造方法。
【発明の詳細な説明】
【技術分野】
【０００１】
本発明は、表示装置およびその製造方法に関し、特に、青色光の危険からユーザの目を保護する表示装置と、その製造方法に関する。
【背景技術】
【０００２】
表示装置は、様々な種類のディジタル製品に広く使用されるが、人々が画面を見るのに費やす時間は長くなっている。したがって、特に、医師または放射線技師が画面上の放射線像を見る必要があるような、連続して頻繁に画面を見なければならない人にとって、ユーザの目に対する青色光の危険性を低減することは重要な研究課題である。
【先行技術文献】
【特許文献】
【０００３】
【特許文献１】米国特許出願公開第２０１６／０３７２６３７号明細書
【発明の概要】
【発明が解決しようとする課題】
【０００４】
青色光を遮断する従来の方法は、青色光の強度を抑制するために、青色光遮断フィルタを表示装置に取り付けることである。あるいは、青色光を遮断する別な従来の方法は、表示装置から発生される青色光の強度を、そこに埋め込まれたソフトウェアによって調整することである。これらの方法では、ユーザの目を保護できるが、表示装置の輝度を全体的に低下させるか、または表示された画像が黄色くなり、表示装置の表示品質を低下させる。
【課題を解決するための手段】
【０００５】
一実施形態によれば、本開示によって表示装置が提供される。表示装置は、最高のグレーレベルの白画像に実行される発光スペクトルを有する。発光スペクトルは、380ｎｍから478ｎｍまでの範囲の第１サブ発光スペクトルと、479ｎｍから780ｎｍまでの範囲の第２サブ発光スペクトルとを含み、第１サブ発光スペクトルは453nm以上の最大ピーク波長を有する。380ｎｍから478ｎｍまでの青色光ハザード重み付け関数を乗算した第１サブ発光スペクトルの積分値は、第１積分として定義され、479ｎｍから780ｎｍまでの視覚関数を乗算した第２サブ発光スペクトルの積分値は、第２積分として定義される。第２積分に対する第１積分の比は、40％から65％までの範囲内にある。
【０００６】
別の実施形態によれば、本開示によって表示装置の製造方法が提供される。まず、バックライトユニットが提供される。その後、バックライトユニット上に表示パネルが提供される。表示パネルは、カラーフィルタ層を含み、表示装置は、最高のグレーレベルの白画像で実行される発光スペクトルを有する。発光スペクトルは、380ｎｍから478ｎｍの範囲の第１サブ発光スペクトルと、479ｎｍから780ｎｍの範囲の第２のサブ発光スペクトルとを含み、第１発光スペクトルは、453ｎｍ以上の最大ピーク波長を有する。380ｎｍから478ｎｍまでの青色光ハザード重み付け関数を乗算した第１サブ発光スペクトルの積分値は第１積分として定義され、479ｎｍから780ｎｍまでの視覚関数を乗算した前記第２サブ発光スペクトルの積分を第２積分として定義される。第２積分に対する第１積分の比は、40％から65％までの範囲内にある。
【０００７】
別の実施形態によれば、本開示によって表示装置の製造方法が提供される。まず、ベースが提供され、次に複数の発光素子がベース上に形成される。表示装置は、最高のグレーレベルの白画像で実行される発光スペクトルを有する。発光スペクトルは、380ｎｍから478ｎｍの範囲の第１サブ発光スペクトルと、479ｎｍから780ｎｍの範囲の第２のサブ発光スペクトルとを含み、第１発光スペクトルは、453ｎｍ以上の最大ピーク波長を有する。380ｎｍから478ｎｍまでの青色光ハザード重み付け関数を乗算した第１サブ発光スペクトルの積分値は第１積分として定義され、479ｎｍから780ｎｍまでの視覚関数を乗算した前記第２サブ発光スペクトルの積分を第２積分として定義される。第２積分に対する第１積分の比は、40％から65％までの範囲内にある。
【０００８】
本開示のこれらおよび他の目的は、様々な図および図面に示されている実施形態の以下の詳細な説明を読めば、当業者において確実に明らかになるであろう。
【図面の簡単な説明】
【０００９】
【図１】本開示の一実施形態および比較形態のそれぞれに応じた各表示装置から発生される発光スペクトルと、青色光のハザード重み付け関数と、明所視感度関数とを示す概略図である。
【図２】CIE1931色空間内における白色点と、本開示の白色点が位置する領域と、黒体曲線とを示すCIE1931xy色度図である。
【図３】本開示の第１実施形態に応じた表示装置の製造方法のフローチャートを、概略的に示したものである。
【図４Ａ】本開示の第１実施形態に応じた表示装置の断面図を、概略的に示したものである。
【図４Ｂ】本開示の第１実施形態の別な変形例に応じた表示装置の断面図を、概略的に示したものである。
【図５Ａ】比較形態に応じた出力光の発光スペクトルと、入力光の発光スペクトルとを示す概略図である。
【図５Ｂ】本開示の第１実施形態に応じた出力光の発光スペクトルと、入力光の発光スペクトルとを示す概略図である。
【図５Ｃ】本開示の第１実施形態に応じた出力光の発光スペクトルと、入力光の発光スペクトルとを示す概略図である。
【図６】本開示の第１実施形態の変形例に応じた表示装置の断面図を、概略的に示したものである。
【図７】本開示の第１実施形態の別な変形例および別な比較形態に応じた出力光の発光スペクトルと、青色カラーフィルタの透過スペクトルとを示す概略図である。
【図８】本開示の第２実施形態に応じた表示装置の製造方法のフローチャートを、概略的に示したものである。
【図９】本発明の第２実施形態に応じた表示装置の断面図を、概略的に示したものである。
【図１０】本開示の第２実施形態の変形例に応じた表示装置の断面図を、概略的に示したものである。
【発明を実施するための形態】
【００１０】
本開示は、以下に記載する図面と併せて、以下の詳細な説明を参照することで理解されるであろう。例示的な明瞭さと読者が容易に理解されるのを目的として、本開示の様々な図面は表示装置の一部を示し、様々な図面における特定の要素は縮尺通りに描かれていないことに留意されたい。さらに、各装置の数や寸法、および図示された角度は、例示的なものに過ぎず、本開示の範囲を意図的に限定するものではない。
【００１１】
特定の構成要素を指すために、一定の用語が、明細書およびそれに続く特許請求の範囲の全体を通して使用される。当業者に理解されるように、電子機器製造業者であれば、異なる名称で構成要素を示してもよい。本書では、名前は異なるものの機能は異っていない構成要素を、意図して区別しない。以下の説明および特許請求の範囲において、用語「含む（include）」および「備える、からなる（comprise）」はオープンエンド形式で使用され、したがって「含むが限定されない…」という意味で解釈されるべきである。
【００１２】
ある要素または層が、別な要素または層に「配置される」または「接続される」と言及されているとき、それは別な要素または層に直接的に配置または接続できるか、或いは介在する要素または層が存在してもよい。これとは対照的に、ある要素が他の要素または層に「直接配置される」または「直接接続される」と言及されているとき、介在する要素または層は存在しない。
【００１３】
本開示では、以下の説明に記載される種々の実施形態における種々の技術的特徴が、本開示の精神から逸脱することなく、別な実施形態を構築するために、互いに組み合わせ、交換、または混合され得る。
【００１４】
本開示において、表示装置は、最高のグレーレベルの白画像で行われる発光スペクトルを有し、これは発光スペクトルの色が白であることを意味する。具体的には、本開示の発光スペクトルは、表示装置から放射される出力光のスペクトルであり、すべての実施形態において、出力光は表示装置から観察者（ユーザ）の目への最終の光学的結果として定義され、表示装置からの出力光に対して発光スペクトルの測定が行われる。また白画像は、表示装置により最高のグレーレベルに動作して発生される。例えば、８ビットのグレースケール色の場合、最高のグレーレベルは255となるが、それに限定されない。或いは、表示装置の対応する回路を、対応する駆動電圧で駆動することにより、最高グレーレベルでの動作を行なってもよい。
【００１５】
図１は、本開示の一実施形態および比較形態のそれぞれに応じた各表示装置から発生される発光スペクトルと、青色光のハザード重み付け関数と、明所視感度関数とを示す概略図である。図１に示すように、本実施形態の発光スペクトルＣ１は、380ｎｍから478ｎｍまでの範囲の第１サブ発光スペクトルＳ１と、479ｎｍから780ｎｍまでの範囲の第２サブ発光スペクトルＳ２とを含む。第１サブ発光スペクトルＳ１は、453ｎｍ以上の最大ピーク波長Ｌ１を有する。例えば、第１サブ発光スペクトルＳ１は、青色光を形成する第１波部Ｗ１を有し、第１サブ発光スペクトルＳ１の第１波部Ｗ１は、最大強度を有する最大ピーク波長Ｌ１において最大ピークＰ１を有する。本開示の第１サブ発光スペクトルＳ１は、１つの波部を有することに限定されない。一実施形態では、第１サブ発光スペクトルＳ１の最大ピーク波長Ｌ１が、478ｎｍ以下であってもよい。
【００１６】
さらに、第２サブスペクトルＳ２は、例えば、緑色光と赤色光をそれぞれ形成する第２波部Ｗ２および第３波部Ｗ３を有し、第２波部Ｗ２は、480ｎｍから580ｎｍまでの範囲の波長にピークＰ３を有することができ、第３波部Ｗ３は、580ｎｍから780ｎｍの範囲の波長にピークＰ３を有することができる。本開示の第２のサブスペクトルＳ２は、これに限定されない。注目すべきは、発光スペクトルＣ１の色は白であり、表示装置によって示される白画像は、CIE1931xy色度図の必要な白領域内に位置する白色点を有することができる、ということである。一実施形態では、CIE1931xy色度図における白色点のｘ値は0.29から0.34までの範囲にあり、CIE1931xy色度図における白色点のｙ値は0.305から0.355までの範囲にあり、それにより表示装置は最高のグレーレベルで動作されるとき、通常の白色点を有する白画像を表示できる。
【００１７】
具体的には、図２を参照する。図２は、CIE1931色空間内における白色点、白色点の領域、および黒体曲線を示すCIE1931xy色度図である。領域ＴＲは、本開示の通常の白色点がその中に位置することができる場所である。領域ＴＲは、0.29および0.34のｘ値と、0.305および0.355のｙ値とにより定義され、形成することができる。したがって、本実施形態の発光スペクトルＣ１は、領域ＴＲ内の白色点の何れかを有するように設計され得る。例えば図２に示すように、黒体曲線ＢＢ上に配置される白色点Ｔ１、Ｔ２、Ｔ３、Ｔ４は、それぞれ5000Ｋ、5500Ｋ、6500Ｋ、7000Ｋの色温度に対応することになる。領域ＴＲの範囲内に白色点Ｔ２、Ｔ３、Ｔ４が配置され、領域ＴＲの外側に白色点Ｔ１が配置されるので、白色点Ｔ２、Ｔ３、Ｔ４のいずれかを有し、それにより5500Ｋ、6500Ｋ、7000Ｋの何れかの色温度を有する発光スペクトルＣ１を設計できる。換言すれば、本開示の発光スペクトルＣ１によって形成される白色点の色温度は、5500Ｋから7000Ｋまでの範囲とすることができるが、これに限定されない。
【００１８】
また、青色光の強度が低く調整され過ぎると、表示装置で示される画像は黄色くなりやすい。逆に、青色光の強度が高く調整され過ぎると、ユーザの目が傷つき易い。本開示は、こうしたジレンマのバランスをとるための評価方法を提供する。評価方法は、第１比率を提供することである。図１に戻ると、具体的には、380ｎｍから478ｎｍまでの青色光ハザード重み付け関数Ｂ（λ）を乗算した第１発光スペクトルＳ１の積分値を、第１積分として定義する。第１積分は、第１サブ発光スペクトルＳ１と380ｎｍから478ｎｍまでの青色光ハザード重み付け関数Ｂ（λ）との内積の全体を積分して計算されることを意味する。青色光ハザード重み付け関数Ｂ（λ）は、図１に示す通りである。479ｎｍから780ｎｍまでの視覚関数を乗算した第２サブ発光スペクトルＳ２の積分値を、第２積分として定義する。第２積分は、第２サブ発光スペクトルＳ２と479ｎｍから780ｎｍまでの視覚関数との内積の全体を積分して計算されることを意味する。視覚関数は、例えば明所視感度関数Ｙ（λ）であり、図１に示すように、明るい採光条件下での人間の視覚スペクトル感度を表す。第１比率は、第２積分に対する第１積分の比として定義される。第１比率の計算式を以下に示す。
【００１９】
【数１】
2019184990.tif 000003
【００２０】
上式において、Ｋは第１比率、λは波長、Φ（λ）は波長の関数である発光スペクトル、Ｂ（λ）はこれも波長の関数である青色光ハザード重み付け関数であり、Ｙ（λ）はこれも波長の関数である明所視感度関数である。発光スペクトルＣ１、青色光ハザード重み付け関数Ｂ（λ）および明所光度関数Ｙ（λ）がそれぞれ正規化されると、第１比率が計算されることに留意されたい。すなわち、発光スペクトルＣ１の最大強度をそれ自体で除算して、１となるように正規化し、青色光ハザード重み付け関数Ｂ（λ）の最大強度をそれ自体で除算して、１となるように正規化し、最大明視野光度関数Ｙ（λ）の強度をそれ自体で除算して、１となるように正規化する。本開示では、第２積分に対する第１積分の第１比率が40％から65％までの範囲内にあるため、最高のグレーレベルで表示装置を動作することにより表示される黄色がかった画像が低減されると、ユーザの目に対する青色光の危険性は、できるだけ低くなり得る。したがって、青色光の危険性の低減と表示品位の向上とを両立して達成できる。
【００２１】
具体的には、第１積分は、第１サブ発光スペクトルＳ１と380ｎｍから478ｎｍの青色光ハザード重み関数Ｂ（λ）との内積の全体を積分して算出されるため、第１積分は、ユーザの目に危険を及ぼす青色光の程度を表わすことになる。第２積分は、第２サブ発光スペクトルＳ２と479ｎｍから780ｎｍの視覚関数との内積の全体を積分して算出されるため、第２の積分は、ユーザの目が認識する黄色光の強さの程度を表わすことになる。第１比率を40％から65％の範囲内に設計することにより、青色光の危険度と黄色光の程度とのバランスをとることができるので、表示装置は、最高のグレーレベルで動作されるときに、通常の白色点を有する白画像を表示できるだけでなく、青色光の危険の強さを低減できる。例えば、ユーザである医師や放射線技師が表示装置に表示した放射線像（例えば、Ｘ線画像やＭＲＩ画像）を見ていると、表示される放射線像は、疑わしい場合の判断に影響を与える色ずれ（黄色み）がなく、しかも長時間の放射線像を見ながらの、医師や放射線技師の目に対する青色光の危険性を低減できる。また別な状況では、ユーザが表示装置上でウェブページを注視しているときに、ウェブページの殆どの領域が白色に設定され、本開示の表示装置は通常の白色点を有する白画像を表示できるので、ユーザはウェブページを見ている間に、そのウェブページがさほど黄色くなっていると感じることはない。
【００２２】
いくつかの実施形態では、発光スペクトルＣ１は任意に、ＴＵＶの低青色光試験規格である青色光の危険を評価するための別の基準に適合してもよい。この基準は第２比率を提供し、第２比率は、400ｎｍから500ｎｍまでの発光スペクトルの積分値に対する415ｎｍから455ｎｍまでの発光スペクトルの積分値の比として定義され、50％未満に定義される。発光スペクトルＣ１はまた、第２比率の基準を満たし、それにより415ｎｍから455ｎｍまでの波長を有する光は、ユーザの目により大きな害を及ぼす一方で、青色光の危険性をさらに低減する。
【００２３】
発光スペクトルＣ１と比較して、比較形態の発光スペクトルＣ２は、最大ピーク波長Ｌ２が453ｎｍ未満、例えば440ｎｍに等しい最大ピークＰ４を有する。発光スペクトルＣ１の最大ピーク波長Ｌ１が453ｎｍであり、比較形態の発光スペクトルＣ２の最大ピーク波長Ｌ２が、例えば440ｎｍであることからすると、発光スペクトルＣ１と発光スペクトルＣ２が同じ色温度である5500Ｋを有し、青色ＬＥＤと黄色蛍光体との組み合わせで発生される場合、発光スペクトルＣ１の第１比率と第２比率は、それぞれ43.8％と49.5％になって、第１比率と第２比率の各基準に適合するものの、発光スペクトルＣ２の第１比率と第２比率は、それぞれ50.0％と76.8％になって、第１比率と第２比率の各基準を共に満足しない。具体的には、青色光ハザード重み付け関数Ｂ（λ）の最大ピーク波長が440ｎｍであるので、440ｎｍの最大ピーク波長を有する比較形態の発光スペクトルは、ユーザの目に対してより大きな害を及ぼすことになる。上述したように、発光スペクトルＣ１の最大ピーク波長Ｌ１が453ｎｍ以上、すなわち380ｎｍから480ｎｍまでの発光スペクトルＣ１のピークが、最大ピークＰ４から最大ピークＰ１にシフトするように設計されれば、発光スペクトルＣ１は、第１比率と第２比率の基準を共に満たすことができ、青色光の危険性を低減し、より良い表示品質を提供することが可能になる。青色光の危険性は、発光スペクトルの最大ピーク波長を440ｎｍ未満に設計することで低減できるが、440ｎｍ未満の最大ピーク波長を有する発光スペクトルは、さらにＵＶ光の危険性の問題に直面する可能性がある。
【００２４】
いくつかの実施形態では、発光スペクトルＣ１は、第１波部Ｗ１と第２波部Ｗ２との間に第１谷ＢＣ１１を有することができる。最大ピーク波長Ｌ１は最大ピーク波長Ｌ２よりも大きく設計されるので、第１谷ＢＣ１１は、発光スペクトルＣ２の対応する第２谷ＢＣ２１よりも大きな強度を有することができるが、これに限定されない。例えば、最大ピークＰ１の強度に対する第１谷ＢＣ１１の強度の比は、0.3未満であってもよいし、０以上であってもよい。別の実施形態では、ＲＧＢチップを使用した光源を例にとると、最大ピークＰ１の強度に対する第１谷ＢＣ１１の強度の比は、0.1未満であってもよいし、０以上であってもよい。また、最大ピーク波長Ｌ１が大きくなるにつれて、第１谷ＢＣ１１の波長を大きくしてもよい。
【００２５】
いくつかの実施形態では、発光スペクトルＣ２は、第４波部Ｗ４、第５波部Ｗ５および第６波部Ｗ６を有してもよく、第４波部Ｗ４は発光スペクトルＣ１の第１波部Ｗ１に対応していて、最大ピークＰ４を有し、第５波部Ｗ５は発光スペクトルＣ１の第２波部Ｗ２に対応し、第６波部Ｗ６は発光スペクトルＣ１の第３波部Ｗ３に対応する。第６波部Ｗ６は、第３波部Ｗ３とほぼ同じであってもよいが、本開示はこれに限定されるものではない。さらに、発光スペクトルＣ１は、第２波部Ｗ２と第３波部Ｗ３との間に第３谷ＢＣ１２を有し、発光スペクトルＣ２は第４谷ＢＣ２２を有し、第３谷ＢＣ１２の強度は第４谷ＢＣ２２の強度と同じであってもよいが、本開示はこれに限定されない。また、第５波部Ｗ５は波部Ｗ２の最大ピークＰ２とほぼ同じ最大ピークを有してもよいが、これに限定されない。
【００２６】
いくつかの実施形態では、最大ピーク波長Ｌ１が453nm以上に設計されるので、最大ピーク波長Ｌ１におけるピークＰ１の強度に対して、480ｎｍから580ｎｍの範囲の波長におけるピークＰ２の強度の比は、第３比率として任意に40％から70％までの範囲内となるように定義され、これにより発光スペクトルＣ１は、依然として領域ＴＲ内に白色点を有することができる。第３比率は、様々な発光素子に基づいて異なることがあり、以下の実施形態で詳述する。
【００２７】
続いて、第１比率と第２比率の基準を満たすように、発光スペクトルを調整または形成する方法を明確に示すために、表示装置の製造方法をさらに詳しく説明する。図３および図４Ａを参照する。図３は、本開示の第１実施形態に応じた表示装置の製造方法のフローチャートを概略的に示しており、図４Ａは、本開示の第１実施形態に応じた表示装置の断面図を概略的に示している。第１実施形態における表示装置の製造方法は、以下の各ステップを含んでいてもよい。本実施形態では、表示装置ＤＤ１は非自発光型の表示装置、例えば液晶表示装置であるが、これに限定されるものではない。
【００２８】
バックライトユニットＢＵを提供するのに、ステップＳ１０が最初に実行される。バックライトユニットＢＵは、青色光を発生する少なくとも１つの発光素子ＬＥを含む。本実施形態では、バックライトユニットＢＵは、複数の発光素子ＬＥと、発光素子ＬＥ上に配置された光変換層ＣＬとを含むことができる。本実施形態の光変換層ＣＬは、発光素子ＬＥからの青色光を黄色光に変換するのに発光素子ＬＥを覆っているので、光変換層ＣＬを透過した青色光と黄色光は、バックライトユニットＢＵから放射される入力光ＩＬに混合され得るが、これに限定されない。一実施形態において、光変換層ＣＬは、青色光を黄色光に変換するための光変換材料Ｍ０を含んでもよく、それにより青色光と黄色光は入力光ＩＬに混合され、入力光は白色光となり得る。CIE1931xy色度図における入力光ＩＬの白色点のｘ値およびｙ値は、表示装置ＤＤ１から測定された出力光ＯＬの白色点のｘ値およびｙ値と異なっていても、または同じであってもよい。入力光ＩＬのｘ値は、出力光ＯＬのｘ値よりも小さくてもよく、入力光ＩＬのｘ値と出力光ＯＬのｘ値との差は、0.020以下であってもよい。別の実施形態において、入力光ＩＬのｘ値と出力光ＯＬのｘ値との間の差は、0.010以下であってもよい。入力光ＩＬのｙ値は、出力光ＯＬのｙ値より小さくてもよく、入力光ＩＬのｙ値と出力光ＯＬのｙ値との差は、0.020以下であってもよい。
【００２９】
例えば、光変換材料Ｍ０は、量子ドット材料、蛍光材料、カラーフィルタ材料、または色素材を含むことができるが、これに限定されない。別の実施形態では、光変換層ＣＬは、発光素子を直接覆って接触してもよい。別の実施形態では、各発光素子ＬＥに光変換層ＣＬを含めることができる。別の実施形態では、バックライトユニットＢＵは光変換層ＣＬを含まなくてもよい。
【００３０】
ステップＳ１０の後に、表示パネルＤＰをバックライトユニットＢＵ上に提供して、本実施形態の表示装置ＤＤ１を形成するステップＳ１２を行なう。表示パネルＤＰは、入力光ＩＬを第１比率の基準に適合した上記発光スペクトルＣ１の出力光ＯＬに変換するためのカラーフィルタ層ＣＦを含む。この実施形態において、発光スペクトルＣ１はさらに、第２比率の基準に適合し得るが、これに限定されない。また表示パネルＤＰは、ボトムベースＢＳ１と、トップベースＢＳ２と、液晶層ＬＣと、回路層ＴＦＴとをさらに含んでもよく、ボトムベースＢＳ１とトップベースＢＳ２との間に液晶層ＬＣが配置され、ボトムベースＢＳ１と液晶層ＬＣとの間に回路層ＴＦＴが配置され、液晶層ＬＣとトップベースＢＳ２との間にカラーフィルタ層ＣＦが配置され得る。ボトムベースＢＳ１およびトップベースＢＳ２は、硬質基板またはフレキシブル基板であってもよい。例えば、表示装置ＤＤ１が液晶表示装置の場合に、ボトムベースＢＳ１およびトップベースＢＳ２の材料は、ガラス、プラスチック、石英、サファイア、ポリイミド（ＰＩ）、ポリエチレンテレフタレート（ＰＥＴ）、または他の適切な材料からなり得るが、本開示はそれに限定されない。例えばカラーフィルタ層ＣＦは、赤色サブ画素ＳＰＸ１に対応する赤色フィルタＲＣＦ、緑色サブ画素ＳＰＸ２に対応する緑色フィルタＧＣＦ、および青色サブ画素ＳＰＸ３に対応する青色フィルタＢＣＦを含んでもよく、赤色サブ画素ＳＰＸ１、緑色サブ画素ＳＰＸ２および青色サブ画素ＳＰＸ３は、白色の出力光ＯＬを生成するための画素を形成し得るが、本開示におけるサブ画素の形成は、これに限定されない。当業者であれば、表示パネルＤＰは、偏光子、配向層、ブラックマトリクス、共通電極および光学フィルムのような、他の層や、要素や、デバイスをさらに含むことができ、回路層ＴＦＴは、ここでは詳細な説明を省略するが、表示パネルを駆動するために、画素電極、薄膜トランジスタ、走査線、データ線および共通線のような、各要素を含むことができると理解するであろう。また、ボトムベースＢＳ１、トップベースＢＳ２、液晶層、回路層およびこれらの層、素子、またはデバイスによる発光スペクトルへのシフト効果は、本開示において無視してよい。本開示におけるカラーフィルタ層ＣＦの配置は、これに限定されることなく、表示パネルＤＰのあらゆる位置に配置されてもよい。例えば、ボトムベースＢＳ１と液晶層ＬＣとの間にカラーフィルタ層ＣＦを配置してもよい。別の実施形態では、ディスプレイパネルＤＰ内であって、底部ベースＢＳ１とカラーフィルタ層ＣＦとの間に、光変換層ＣＬを配置してもよい。
【００３１】
本開示のバックライトユニットは、上述した実施形態に限定されない。図４Ｂを参照すると、ここでは本開示の第１実施形態の第１変形例に応じた表示装置の断面図を、概略的に示している。図４Ｂに示すように、第１変形例の表示装置ＤＤ１’と第１実施形態の表示装置ＤＤ１との間の違いは、本変形例のバックライトユニットＢＵ’を側光式バックライトユニットとしたことにある。具体的には、バックライトユニットＢＵ’は、少なくとも１つの発光素子ＬＥ’と導光板ＬＧＰとを含み、少なくとも１つの発光素子ＬＥ’は、導光板ＬＧＰの少なくとも一側に配置され、発光素子ＬＥ’の出射面ＥＳは、導光板ＬＧＰの側面ＳＳに対向する。これにより、発光素子ＬＥ’から発生した光は側面ＳＳに入射して案内され、導光板ＬＧＰの出射面ＯＳから入力光ＩＬ’となるように放射するが、出射面ＯＳを側面ＳＳに接続あるいは近接してもよい。本変形例において、バックライトユニットＢＵ’は光変換層ＣＬ’をさらに含み、光変換層ＣＬ’は青色光を黄色光に変換するための光変換材料Ｍ０を含んでいる。光変換層ＣＬ’は、発光素子ＬＥ’の出射面ＥＳを覆っていてもよい。幾つかの実施形態では、バックライトユニットＢＵ’は、光変換層ＣＬ’を含めなくてもよく、光変換材料Ｍ０は、導光板ＬＧＰ内に分散されてもよい。幾つかの実施形態では、バックライトユニットＢＵ’は、導光板ＬＧＰの光を出力面ＯＳに向けて反射するための反射体ＲＥをさらに含んでもよい。出射面ＯＳに対し反対側にある導光板ＬＧＰの底面ＢＳに、反射体ＲＥを配置してもよい。
【００３２】
続いての記述は、第１実施形態の表示装置により発生される異なる最大ピーク波長を有する発光スペクトルを、第１実施形態の表示装置の構造を適用した比較形態の発光スペクトルと比較したものであり、第１実施形態の発光スペクトルと比較形態の発光スペクトルとの間の違いは、比較形態の出力光の発光スペクトルが、453ｎｍ未満の最大ピーク波長を有することにある。図５Ａ、図５Ｂ、および図５Ｃを参照すると、図５Ａは、比較形態に応じた出力光の発光スペクトルと、入力光の発光スペクトルとを示す概略図であり、図５Ｂは、本開示の第１実施形態の第１例に応じた出力光の発光スペクトルと、入力光の発光スペクトルとを示す概略図であり、図５Ｃは、本開示の第１実施形態の第２例に応じた出力光の発光スペクトルと、入力光の発光スペクトルとを示す概略図である。
【００３３】
図５Ａに示すように、発光スペクトルＢＬ４４０は、比較形態に応じたバックライトユニットから発生する入力光の発光スペクトルを表わし、発光スペクトルＣ４４０は、比較例に応じた表示装置から発生し、発光スペクトルＢＬ４４０から形成される出力光の発光スペクトルを表わす。入力光の発光スペクトルＢＬ４４０の最大ピーク波長は、出力光の発光スペクトルＣ４４０の最大ピーク波長Ｌ２とほぼ同じであり、例えば約440ｎｍであってもよい。入力光の最大ピーク波長と、対応する出力光の最大ピーク波長との差は、２ｎｍ以下であってもよい。
【００３４】
図５Ｂに示すように、第１実施形態の第１例において、発光スペクトルＢＬ４５３は、バックライトユニットから発生する入力光の発光スペクトルを表わし、発光スペクトルＣ４５３は、バックライトユニットから発生し、発光スペクトルＢＬ４５３から形成される出力光の発光スペクトルを表わす。入力光の発光スペクトルＢＬ４５３の最大ピーク波長は、出力光の発光スペクトルＣ４５３の最大ピーク波長Ｌ１１とほぼ同じであり、例えば約453ｎｍであってもよい。入力光の最大ピーク波長と、対応する出力光の最大ピーク波長との差は、２ｎｍ以下であってもよい。
【００３５】
図５Ｃに示すように、第１実施形態の第２例において、発光スペクトルＢＬ４６０は、バックライトユニットから発生する入力光の発光スペクトルを表わし、発光スペクトルＣ４６０は、バックライトユニットから発生し、発光スペクトルＢＬ４６０から形成される出力光の発光スペクトルを表わす。入力光の発光スペクトルＢＬ４６０の最大ピーク波長は、出力光の発光スペクトルＣ４６０の最大ピーク波長Ｌ１２とほぼ同じであり、最大ピーク波長Ｌ１１よりも大きく、例えば約460ｎｍである。各入力光の最大ピーク波長と、対応する出力光の最大ピーク波長との差を、２ｎｍ以下にすることで、出力光の最大ピーク波長を入力光の最大ピーク波長により調整でき、これは出力光の最大ピーク波長をバックライトユニットの設計によって調整できることを意味する。
【００３６】
例えば、比較形態の表示装置と第１実施形態の表示装置ＤＤ１との違いは、比較形態の発光素子と第１実施形態の発光素子が異なる最大ピーク波長を有することにあるが、これに限定されない。また比較形態では、図５Ａに示すように、第２谷ＢＣ２１の相対強度がピークＷ４およびピークＷ５よりも小さく、第１実施形態の第１例では、図５Ｂに示すように、第１谷ＢＣ１１の相対強度が最大ピークＰ１および最大ピークＰ２よりも小さく、第１実施形態の第２例における第１谷ＢＣ１１の相対強度が、第１例における第１谷ＢＣ１１の相対強度よりも大きい。別の実施形態では、発光スペクトルの最大ピーク波長がより大きくなると、その最大ピークと480ｎｍから580ｎｍまでの範囲のピークとの間の谷の波長がより大きくなり得る。
【００３７】
図４Ａ、図５Ａ、図５Ｂ、および図５Ｃと同様に、表１および表２を参照する。表１は、異なる最大ピーク波長および異なる色温度で、比較形態と第１実施形態に応じて計算された第１比率を一覧で示したものであり、表２は、異なる最大ピーク波長および異なる色温度で、比較形態と第１実施形態に応じて計算された第２比率を一覧で示したものである。表１および表２で確認できるように、第１実施形態における表示装置ＤＤ１の発光スペクトルに関して、色温度が5500Ｋから7000Ｋの範囲内にあり、最大ピーク波長が453ｎｍから478ｎｍの範囲内にある場合、発光スペクトルの第１比率を40％から65％の範囲内にできる。また、発光スペクトルの第２比率は殆ど50％未満とすることができる。このように発光素子を介して、出力光の発光スペクトルを、第１比率と第２比率の基準を満たすように調整できる。
【００３８】
【表１】
2019184990.tif 000004
【００３９】
【表２】
2019184990.tif 000005
【００４０】
いくつかの実施形態において、図４Ａ、図５Ａ、図５Ｂ、および図５Ｃと同様に、表３を参照する。表３は、異なる最大ピーク波長および異なる色温度で、比較形態と第１実施形態に応じて計算された第３比率を一覧で示したものである。色温度が5500Ｋから7000Ｋの範囲内にあり、最大ピーク波長が453ｎｍから478ｎｍの範囲内にある場合、発光スペクトルの第３比率は任意に40％から60％の範囲内にできる。また、色温度が高くなるほど、第３比率はより小さくすることができる。
【００４１】
【表３】
2019184990.tif 000006
【００４２】
表示装置の構成は、上記実施形態に限定されるものではなく、他の変形例や実施形態を有していてもよい。説明を簡単にするために、以下の変形実施形態または実施形態の各々における同一の構成要素には、同一の符号を付している。以下の説明では、様々な変形例または実施形態の間の相違点を詳細に説明し、同一の特徴については重複して説明しない。
【００４３】
図６を参照すると、ここでは本開示の第１実施形態の第２変形例に応じた表示装置の断面図を、概略的に示している。第２変形例の表示装置ＤＤ１''と第１実施形態の表示装置ＤＤ１との違いは、光変換層ＣＬ''が、第１変形例でそれぞれ青色光を赤色光に変換するためと、青色光を緑色光に変換するために、２つの光変換材料Ｍ１、Ｍ２を含み、それにより発光素子から発生される青色光と、赤色光および緑色光は、入力光ＩＬに混合され得ることにある。入力光ＩＬは、白色光となってもよい。本変形例において、光変換材料Ｍ１、Ｍ２は、量子ドット材料、蛍光材料、カラーフィルタ材料、または色素材を含むことができるが、これに限定されない。いくつかの実施形態では、光変換材料Ｍ１、Ｍ２を第１変形例の光変換層または導光板に適用してもよい。
【００４４】
図６と同様に、表４および表５を参照する。表４は、異なる最大ピーク波長および異なる色温度で、別な比較形態と第２変形例に応じて計算された第１比率を一覧で示したものであり、表５は、異なる最大ピーク波長および異なる色温度で、その比較形態と第２変形例に応じて計算された第２比率を一覧で示したものである。比較形態の表示装置と第２変形例の表示装置ＤＤ１''との違いは、比較形態の発光素子と第２変形例の発光素子が、異なる最大ピーク波長を有することにあるが、これに限定されない。表４および表５で確認できるように、第１実施形態の第２変形例における表示装置ＤＤ１''の発光スペクトルに関して、色温度が5500Ｋから7000Ｋの範囲内にあり、最大ピーク波長が453ｎｍから478ｎｍまでの範囲内にある場合、発光スペクトルの第１比率は40％から65％の範囲内とあり得る。また、発光スペクトルの第２比率は50％未満とすることができる。
【００４５】
【表４】
2019184990.tif 000007
【００４６】
【表５】
2019184990.tif 000008
【００４７】
いくつかの実施形態において、図６と同様に表６を参照する。表６は、異なる最大ピーク波長および異なる色温度で、比較形態と第２変形例に応じて計算された第３比率を一覧で示したものである。色温度が5500Ｋから7000Ｋの範囲内にあり、最大ピーク波長が453ｎｍから478ｎｍの範囲内にある場合、発光スペクトルの第３比率を任意に45％から70％の範囲内にできる。また、色温度が高くなるほど、第３比率はより小さい。
【００４８】
【表６】
2019184990.tif 000009
【００４９】
図４Ａと同様に、図７を参照する。図７は、本開示の第１実施形態の第３変形例および別な比較形態に応じた出力光の発光スペクトルと、青色カラーフィルタの透過スペクトルとを示す概略図である。この比較形態において、透過スペクトルＣＣＦ１は、光が透過可能な青色カラーフィルタの透過スペクトルであり、発光スペクトルＣ４５０は、入力光が透過スペクトルＣＣＦ１を有する青色カラーフィルタを透過することで形成される出力光のスペクトルである。透過スペクトルＣＣＦ１は、453ｎｍ未満の最大ピーク波長を有することができ、例えば透過スペクトルＣＣＦ１は、約450ｎｍの波長で最大ピークＰ５を有する。すなわち最大ピークＰ５は、発光スペクトルＣ４５０の最大ピークのピークに近くなるので、発光スペクトルＣ４５０を有する青色カラーフィルタを透過した光から形成される透過スペクトルＣＣＦ１は、例えば450ｎｍの最大ピーク波長を有することができる。
【００５０】
第１実施形態の第３変形例において、透過スペクトルＣＣＦ２は青色カラーフィルタＢＣＦの透過スペクトルであり、発光スペクトルＣ４５５は、入力光が透過スペクトルＣＣＦ２を有する青色カラーフィルタを透過することで形成される出力光のスペクトルである。透過スペクトルＣＣＦ２は、453ｎｍ以上の波長で最大ピークＰ６を有するので、透過スペクトルＣＣＦ２を有する青色カラーフィルタを透過する光から形成される発光スペクトルＣ４５５は、例えば465ｎｍの最大ピーク波長を有することができる。したがって、青色カラーフィルタＢＣＦの透過スペクトルＣＣＦ２を調整することにより、出力光の発光スペクトルの最大ピーク波長を453ｎｍ以上にシフトさせることができる。
【００５１】
図８および図９を参照する。図８は、本開示の第２実施形態に応じた表示装置の製造方法のフローチャートを概略的に示しており、図９は、本発明の第２実施形態に応じた表示装置の断面図を概略的に示している。第２実施形態における表示装置ＤＤ２の製造方法は、以下の各ステップを含んでいてもよい。ベースＢＳ３を提供するのに、ステップＳ２０が最初に実行される。その後、ベースＢＳ３上に複数の発光素子を形成して表示装置ＤＤ２を形成する（ステップＳ２２）。発光素子を形成した後、発光素子を保護するために、発光素子を覆うようにベースＢＳ４をさらに形成してもよい。表示装置ＤＤ２は、自発光型の表示装置であってもよい。表示装置ＤＤ２は、無機発光ダイオード表示装置（例えば、ＱＬＥＤ）または有機発光素子（例えば、ＯＬＥＤ）とすることができるが、これに限定されない。ベースＢＳ３およびベースＢＳ４は、硬質基板またはフレキシブル基板であってもよい。例えば、表示装置ＤＤ２が自発光型の表示装置である場合、ベースＢＳ３の材料およびベースＢＳ４の材料は、ガラス、プラスチック、石英、サファイア、ポリイミド（ＰＩ）、ポリエチレンテレフタレート（ＰＥＴ）または他の適切な材料からなり得るが、本開示はそれに限定されない。ベースＢＳ４は、保護層であってもよい。保護層は、水分や酸素から発光ダイオードを保護するための封止層、バリア膜またはバリア層として機能することができる。封止層、バリア膜およびバリア層は、有機材料、無機材料、または有機材料と無機材料の積層体（無機層、有機層、および無機層の積層体など）を含んでもよい。
【００５２】
発光素子は、赤色光を発生する赤色発光素子ＲＬＥ、緑色光を発生させる緑色発光素子ＧＬＥ、青色光を発生させる青色発光素子ＢＬＥを含むことができる。各発光素子は、回路層ＴＦＴ上に順に支えられたアノードＡＥ、発光層ＬＬ、およびカソードＣＥを含むことができる。赤色光、緑色光および青色光は、白画像の発光スペクトルＣＬ１を有する出力光ＯＬを形成できるので、青色有機発光素子ＢＬＥの最大ピーク波長を調整することにより、表示装置ＤＤ２の発光スペクトルは第１比率の基準を満たすことができ、赤色発光素子ＲＬＥ、緑色発光素子ＧＬＥ、および青色発光素子ＢＬＥを最高のグレーレベルで駆動しながら、白画像の発光スペクトルＣＬ１が形成される。いくつかの実施形態では、表示装置ＤＤ２の発光スペクトルは、第２比率の基準をさらに満たすか、第２比率および第３比率の基準を満たすことができる。本実施形態において、回路層ＴＦＴは発光素子を駆動するために、提供されたベース層ＢＳ３と形成された発光素子との間に形成されてもよいが、これに限定されない。別な実施形態において、表示装置ＤＤ２は、発光素子の発光スペクトルを調整するために、発光素子上に配置される第１実施形態のカラーフィルタ層および光変換層の少なくとも１つをさらに含んでもよい。
【００５３】
別な実施形態において、各発光素子は白色光を生成することができ、また発光素子から発生した光が入力光となり、発光素子からの光がカラーフィルタを透過して出力光を形成できるように、表示装置は発光素子上にカラーフィルタをさらに含むことができ、これはカラーフィルタから出射された光が、出力光として機能できることを意味する。この設計では、カラーフィルタを用いて出力光の発光スペクトルを調整できる。
【００５４】
図１０を参照すると、ここでは、本開示の第２実施形態の変形例に応じた表示装置の断面図を概略的に示している。本変形例の表示装置ＤＤ２’と第２実施形態の表示装置ＤＤ２との違いは、それぞれの発光素子を発光ダイオードチップまたは発光ダイオードパッケージとしたことにある。一実施形態において、前記発光素子は、赤色光を発生する赤色発光素子ＲＬＥ’、緑色光を発生させる緑色発光素子ＧＬＥ’、および青色光を発生させる青色発光素子ＢＬＥ’を含むことができる。例えば、発光素子は、チップサイズが300μｍから２ｍｍまでの範囲の通常ＬＥＤ、チップサイズが100μｍから300μｍまでの範囲のミニＬＥＤ、またはチップサイズが１μｍから100μｍまでの範囲のマイクロＬＥＤ、或いは量子ドット材料を含む量子ドット発光ダイオード（ＱＬＥＤ）とすることができる。したがって、青色発光素子ＢＬＥ’の発光スペクトルの最大ピーク波長を調整することにより、表示装置ＤＤ２’の発光スペクトルは、第１比率、第２比率および第３比率の基準を満たすことができる。
【００５５】
別な実施形態において、表示装置ＤＤ２’は、発光素子の発光スペクトルを調整するために、発光素子上に配置される第１実施形態のカラーフィルタ層および光変換層の少なくとも１つをさらに含んでもよい。
【００５６】
以上のように、本開示の表示装置の発光スペクトルは、最大ピーク波長が453ｎｍ以上であり、第1比率が40％から65％までの範囲にあるため、表示装置はユーザの目に対する青色光の危険性を低減することができ、また最高のグレーレベルで動作される状態では、通常の白色点を有する白画像を表示することができる。したがって、青色光の危険性の低減と表示品位の向上とを両立して達成できる。
【００５７】
当業者であれば、本開示の教示を保持しながら、装置および方法の多数の改変や変更を行なえることは、容易に理解するであろう。したがって、上述の開示は、添付の請求項の境界および範囲によってのみ限定されると解釈すべきである。
【符号の説明】
【００５８】
ＢＣＦ  青色カラーフィルタ
ＢＬＥ、ＢＬＥ’  青色発光素子（発光素子）
ＢＳ３、ＢＳ４  ベース
ＢＵ、ＢＵ’  バックライトユニット
ＣＦ  カラーフィルタ層
ＣＬ、ＣＬ’、ＣＬ''  光変換層
ＤＤ、ＤＤ１’、ＤＤ２、ＤＤ２’  表示装置
ＤＰ  表示パネル
ＧＬＥ、ＧＬＥ’  緑色発光素子（発光素子）
ＬＥ、ＬＥ’  発光素子（青色発光素子）
Ｍ０、Ｍ１、Ｍ２  光変換材料
ＲＬＥ、ＲＬＥ’  赤色発光素子（発光素子）
【図１】
2019184990.tif 000010
【図２】
2019184990.tif 000011
【図３】
2019184990.tif 000012
【図４Ａ】
2019184990.tif 000013
【図４Ｂ】
2019184990.tif 000014
【図５Ａ】
2019184990.tif 000015
【図５Ｂ】
2019184990.tif 000016
【図５Ｃ】
2019184990.tif 000017
【図６】
2019184990.tif 000018
【図７】
2019184990.tif 000019
【図８】
2019184990.tif 000020
【図９】
2019184990.tif 000021
【図１０】
2019184990.tif 000022